(57)【要約】【課題】管内の水分を効率良く拭き取ることができるようにすること。【解決手段】平面視正方形状をなすスワブ１１と、このスワブ１１に取り付けられた紐状部材１２とを備えて管楽器用掃除具１０が構成されている。紐状部材１２は、頂点１１Ｄから、当該頂点１１Ｄを形成しない頂点１１Ａ，１１Ｂ間の辺上であって、その辺の頂点１１Ａ，１１Ｂを除く取付位置Ｐに亘って取り付けられている。取付位置Ｐから、スワブの四点の頂点１１Ａ〜１１Ｄの各距離はそれぞれ異なるように設定されている。【選択図】図１
2011043659.tif 000002
【特許請求の範囲】
【請求項１】
平面視方形状をなすスワブと、このスワブに取り付けられた紐状部材とを備えた管楽器用掃除具において、
前記紐状部材は、スワブの一の頂点から、当該頂点を形成しない辺上の頂点を除く取付位置に亘って取り付けられていることを特徴とする管楽器用掃除具。
【請求項２】
前記取付位置から、スワブの四点の頂点の各距離がそれぞれ異なっていることを特徴とする請求項１記載の管楽器用掃除具。
【発明の詳細な説明】
【技術分野】
【０００１】
本発明は、管楽器用掃除具に係り、更に詳しくは、管内に付着した水分等を拭き取ることができる管楽器用掃除具に関する。
【背景技術】
【０００２】
従来より、クラリネット等の管楽器は、演奏によって呼気に含まれる水分が管内に付着するため当該管内を拭き取りできる管楽器用掃除具が利用されている（特許文献１〜３参照）。この種の掃除具５０としては、図４に示されるように、一端側に錘５１を有する紐状部材５２と、この紐状部材５２の他端側に縫着される平面視正方形をなす布製のスワブ５３とを備えたものがある。紐状部材５２は、スワブ５３の対角線に沿って相対する二点の頂点を通過するように取り付けられる。また、他の掃除具５０としては、図５に示されるように、平面視長方形のスワブ５３の対角線に沿って紐状部材５２を取り付けたものが知られている。かかる掃除具５０を用いて管内の水分を拭き取る場合、先ず、錘５１を管体の一端側から挿入して他端側に出して管体の他端側に引き出された紐状部材５２を引っ張り、これにより、スワブ５３を管体の一端から他端に向かって通過させて管体の内周面を拭き取りできるようになっている。
【先行技術文献】
【特許文献】
【０００３】
【特許文献１】実用新案登録第３１０５３５０号公報
【特許文献２】特開２００１−１１２４６１号公報
【特許文献３】実開平２−１４９９９５号公報
【発明の概要】
【発明が解決しようとする課題】
【０００４】
前記掃除具５０による管内の拭き取りにおいて、紐状部材５２を持ってスワブ５３を垂れ下げたときに、スワブ５３の自重で図４（Ａ）及び（Ｂ）中横方向に最も集まる領域が管内でのスワブ５３の最大太さＤとなる。この最大太さＤは、スワブ５３の紐状部材５２への取付領域の図４（Ｂ）中最上端位置、すなわち、スワブ５３の同図中上方の頂点を中心として左右の各頂点をそれぞれ通るスワブ５３の面内での円弧Ｒの長さに応じたものとなる。このスワブ５３の最大太さＤとなる部分が、管内により密着し易くなり、管内の多くの水分が最大太さＤとなる部分によって吸水されて拭き取られることとなる。
【０００５】
しかしながら、図４の掃除具５０にあっては、吸水作用を発揮する領域がスワブ５３の最大太さＤとなる部分に集中し、それ以外の部分では太さが急に細くなるために管体の内面に接触し難くなり、水分の拭き取りが不十分になる、という不都合がある。このため、自ずからスワブ５３を管内に複数回通して拭き取りを行う傾向があるが、吸水作用を発揮するスワブ５３の最大太さＤとなる部分は、一回目の拭き取りで十分に濡れた状態となり易くなるため、更に拭き取りを行っても最大太さＤとなる部分で吸水し難くなって拭き取り効果が十分に得られなくなる。
【０００６】
ここで、図５の掃除具５０のように、スワブ５３を長方形とした場合、スワブ５３の同図中右側の頂点を通る部分において最大太さＤとなるが、その部分の前記円弧Ｒの長さを、正方形のスワブ５３と同じに設定しようとすると、スワブ５３が大型化して取扱性が低下する、という不都合を招来する。
【０００７】
ところで、管体がテーパ形状となるオーボエやファゴット等では、管体の最大径側から最小径側にスワブ５３を通過させるため、当該最小径側の内径に応じてスワブ５３のサイズが決定される。このため、管体の最大径側では、スワブ５３の密着性が低下して水分の拭き取りが不十分になる、という不都合がある。ここで、スワブの形状を大きい長台形状とし、管体の最大径側から可能な限りスワブを押し込んだ後引き戻して拭き取りを行うタイプの掃除具もあるが、この場合、スワブの長さが相当長くなる他、引き戻しのための紐状部材が別途必要となり、使い勝手が悪くなる、という不都合を生じる。
【０００８】
［発明の目的］
本発明は、このような不都合に基づいて案出されたものであり、その目的は、管内の水分を効率良く拭き取ることができる管楽器用掃除具を提供することにある。
【課題を解決するための手段】
【０００９】
前記目的を達成するため、本発明は、平面視方形状をなすスワブと、このスワブに取り付けられた紐状部材とを備えた管楽器用掃除具において、
前記紐状部材は、スワブの一の頂点から、当該頂点を形成しない辺上の頂点を除く取付位置に亘って取り付けられる、という構成を採っている。
【００１０】
本発明において、前記取付位置から、スワブの四点の頂点の各距離がそれぞれ異なる、という構成を採ることができる。
【発明の効果】
【００１１】
本発明によれば、スワブの頂点から前述した取付位置に亘って紐状部材が取り付けられるので、同じサイズ及び形状のスワブの対角線上に紐状部材を取り付けた場合に比べ、管内で最大太さに近い寸法の太さとなる領域を拡大することができる。これにより、スワブの管内での密着度を高めて吸水効率を向上することができ、管内にスワブを通す回数を減らして清掃作業の負担軽減を図ることが可能となる。また、同一の吸水量に対してスワブのサイズを従来より縮小化することができ、取り扱いを楽にすることができる。更に、従来のように最大太さとなる部分にスワブが集中することを緩和して管内でフレキシブルにスワブを通過させることができ、適応可能な管体の径寸法を拡大してテーパ形状の管体の拭き取りも容易且つ効率的に行うことができる。
【００１２】
また、取付位置からスワブの四点の頂点までの各距離をそれぞれ異なるようにした場合、最大太さに近い寸法の太さとなる領域をより良く拡大してスワブと管内との密着性を高めることができる。
【図面の簡単な説明】
【００１３】
【図１】（Ａ）は、実施形態に係る管楽器用掃除具の概略平面図、（Ｂ）は、図１（Ａ）の管楽器用掃除具の使用状態を示す説明図。
【図２】（Ａ）は、実施形態に係る管楽器用掃除具の比較用の説明図、（Ｂ）は、従来構造の掃除具の比較用の説明図。
【図３】比較結果を示すグラフ。
【図４】（Ａ）は、従来例に係る掃除具の概略平面図、（Ｂ）は、図４（Ａ）の掃除具の使用状態を示す説明図。
【図５】（Ａ）は、他の従来例に係る掃除具の概略平面図、（Ｂ）は、図５（Ａ）の掃除具の使用状態を示す説明図。
【発明を実施するための形態】
【００１４】
以下、本発明の好ましい実施の形態について図面を参照しながら説明する。
なお、方形とは、当該方形を形成する頂点が面取りされたものや、円弧状とされたものも含む。
【００１５】
図１において、管楽器用掃除具１０は、平面視正方形状をなすスワブ１１と、このスワブ１１に取り付けられた紐状部材１２とを備えて構成されている。
【００１６】
前記スワブ１１は、吸水性、保水性に富む繊維からなるシートにより構成されている。ここで、以下の説明において、説明の便宜上、図１（Ａ）中スワブ１１の左上の頂点について「１１Ａ」、右上の頂点について「１１Ｂ」、左下の頂点について「１１Ｃ」、右下の頂点について「１１Ｄ」の符号を付す。スワブ１１の各頂点１１Ａ〜１１Ｄは、それぞれ四分円状に形成されている。
【００１７】
前記紐状部材１２は、紐や糸、帯からなり、清掃を行う楽器の管体の長さに応じた長さに設定されている。紐状部材１２の一端側すなわち図１（Ａ）中下端側領域は、スワブ１１の面内で直線状に縫着されている。具体的には、スワブ１１の頂点１１Ｄに紐状部材１２の下端が位置するよう取り付けられる。そして、紐状部材１２は、頂点１１Ｄから、当該頂点１１Ｄを形成しない辺、本実施形態では頂点１１Ａ，１１Ｂ間の辺上であって、その辺の頂点１１Ａ，１１Ｂを除く取付位置Ｐに亘って取り付けられている。取付位置Ｐから、スワブの四点の頂点１１Ａ〜１１Ｄの各距離はそれぞれ異なるように設定されている。取付位置Ｐと頂点１１Ｄとを直線で結んだ線すなわち紐状部材１２が縫着された部分と、頂点１１Ｄ，１１Ｂ間の辺とのなす角度θは、本実施形態では３２°に設定されている。また、紐状部材１２の他端側すなわち図１（Ａ）中上端側には、錘１３が取り付けられている。
【００１８】
以上の構成において、管楽器用掃除具１０をクラリネット等の管楽器に使用する場合、従来と同様に、錘１３を管体の一端側から他端側に通過させて当該他端側に引き出された紐状部材１２を引っ張ることにより、管体内にスワブ１１が通過して管内の水分の拭き取りが行われる。管内の拭き取りにおいて、管内でのスワブ１１の太さは、前記取付位置Ｐを中心とする円弧Ｒのスワブ１１面内での長さに応じたものとなるので、本実施形態では、頂点１１Ｂを含む領域付近で最大太さＤとなる。
【００１９】
ここで、図２（Ａ）及び（Ｂ）に示されるように、本実施形態の掃除具１０と従来構造の掃除具１０’との管内でのスワブ１１を比較する。従来構造の掃除具１０’は、紐状部材１２をスワブ１１の対角線上に取り付けることで、スワブ１１の頂点１１Ａを取付位置Ｐとし、スワブ１１の形状及びサイズは本実施形態のスワブ１１と同一とする。
比較の結果をグラフとして図３に示す。
【００２０】
図３のグラフから、実施形態では、従来構造に比べ、円弧Ｒの長さがピーク値前後において緩やかに増減することが理解することができる。換言すれば、実施形態の方が、スワブ１１が最大太さＤに近い寸法の太さとなる領域を拡大可能となり、具体的には、グラフ中、円弧の長さｒ１以上となる距離は、実施形態が従来構造の約１．７倍となり、円弧の長さｒ２以上となる距離は、実施形態が従来構造の約１．５倍となって拡大化を図ることができる。これにより、スワブ１１において管内で水分が付着して吸水し得る領域を分散及び拡大でき、管体内周面にスワブ１１をより良く密着させて水分拭き取りの効率アップを図ることが可能となる。更には、実施形態の方が、スワブ１１の吸水量を増大することができ、言い換えれば、スワブ１１のサイズを縮小しても従来構造と同一の吸水量を実現可能となる。
【００２１】
また、実施形態の最大太さＤは、従来構造に比べて８３〜８８％に収まり、スワブ１１のサイズを変更することなく、より細い内径の管体からなる楽器に利用することができる。
更に、スワブ１１における水分を吸水し得る領域の分散により、当該領域を取付位置Ｐに近付けることができ、加えて、スワブ１１のサイズを縮小できるので、スワブ１１が管内で拡がり易くなり、テーパ形状の管体にも利用できる柔軟性を発揮することが可能となる。
【００２２】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、スワブ１１の形状は、頂点を円弧状としない正方形や、長方形等に変更してもよい。
また、図１において、前記取付位置Ｐは、スワブ１１における頂点１１Ａ，１１Ｃ間の辺上（頂点１１Ａ，１１Ｃを除く）としてもよい。
【符号の説明】
【００２４】
１０・・・管楽器用掃除具、１１・・・スワブ、１２・・・紐状部材、Ｐ・・・取付位置
【図１】
2011043659.tif 000003
【図２】
2011043659.tif 000004
【図３】
2011043659.tif 000005
【図４】
2011043659.tif 000006
【図５】
2011043659.tif 000007